(57)【要約】【課題】コネクタの製造コストや重量の増大を抑えつつ、雌ハウジングと雄ハウジングとの間に生じるガタを防止する。【解決手段】コネクタの雌ハウジング１は、フード部１２の上壁を前端側から後端側にかけて徐々に肉厚に形成することで構成された挟持壁１７を備え、フード部１２の下壁の内面には噛合部１６を備えている。雄ハウジング２は、フード部２２の上壁の上面に押圧凸部２４を備え、フード部２２の下壁の下面に噛合部２６を備えている。雄ハウジング２のフード部１２への挿入時には、押圧凸部２４に挟持壁１７が乗り上げて押圧凸部２４を下壁側に押し付け、フード部１２の下壁と挟持壁１７とで雄ハウジング２が挟み込まれる。これにより、雄ハウジング２の噛合部２６とフード部１２の被噛合部１６とが強く噛み合わされ、両ハウジング１，２同士が位置決めされる。【選択図】図１
2010205543.tif 000002
【特許請求の範囲】
【請求項１】
雄ハウジング及び雌ハウジングの何れか一方が備えるフード部に他方のハウジングを挿入して両ハウジング同士を装着するコネクタであって、前記他方のハウジングは、一側面に形成された押圧凸部と、前記一側面と反対側に位置する他側面に凹凸を設けて構成された噛合部とを備え、前記フード部は、一側壁の内面に凹凸を設けて構成されて前記フード部に挿入された前記他方のハウジングの前記噛合部と噛み合わされる被噛合部と、前記一側壁と向き合う他側壁に形成されて、前記フード部に挿入された前記他方のハウジングの前記押圧凸部に乗り上げて、前記一側壁とで前記他方のハウジングを挟み込む挟持壁とを備えていることを特徴とするコネクタ。
【請求項２】
前記挟持壁は、前記フード部に挿入された前記他方のハウジングの前記押圧凸部に乗り上げて、前記押圧凸部を前記フード部の奥方に案内する傾斜面を備えることを特徴とする請求項１に記載のコネクタ。
【請求項３】
前記挟持壁は、前記傾斜面よりも先端側に位置する前記フード部を肉薄にして構成されていることを特徴とする請求項１又は２に記載のコネクタ。
【発明の詳細な説明】
【技術分野】
【０００１】
本発明は、雄ハウジング及び雌ハウジングの何れか一方が備えるフード部に他方のハウジングを挿入して両ハウジング同士を装着するコネクタに関する。
【背景技術】
【０００２】
下記の特許文献１に開示されたコネクタは、雄型コネクタハウジングがアウタハウジングとインナハウジングとから構成されており、インナハウジングとアウタハウジングとの間には金属製のコイルバネが配置されている。インナハウジングの外周面には、傾斜面を有したガタツキ規制部が突設されている。雌型コネクタハウジング内には、雄型コネクタハウジングとの嵌合時にインナハウジングに嵌合してインナハウジングを収容するコネクタ嵌合室が備えられている。コネクタ嵌合室の内周面には規制面が形成されている。
【０００３】
雄型コネクタハウジングと雌型コネクタハウジングとの嵌合時に、インナハウジングがコネクタ嵌合室に収容されると、ガタツキ規制部の傾斜面がコネクタ嵌合室の規制面と面接触し、コイルバネがインナハウジングを雌型コネクタハウジングへの嵌合方向に付勢して、傾斜面で規制面を押圧する。これにより、両ハウジング間でのがたつきが防止される。
【先行技術文献】
【特許文献】
【０００４】
【特許文献１】特開２００６−２４４５８号公報
【発明の概要】
【発明が解決しようとする課題】
【０００５】
上記特許文献１のコネクタでは、インナハウジングを雌型コネクタハウジングへの嵌合方向に押し付けるために、インナハウジングにガタツキ規制部が、コネクタ嵌合室に規制面が夫々備えられ、更にコイルバネも備えていることから、構成が複雑になり製造コストや重量の増大を招いていた。
【０００６】
本発明は、このような状況に鑑みてなされたものであり、上記課題を解決することができるコネクタを提供することを目的とする。
【課題を解決するための手段】
【０００７】
このような目的を達成するために、本発明のコネクタは、雄ハウジング及び雌ハウジングの何れか一方が備えるフード部に他方のハウジングを挿入して両ハウジング同士を装着するコネクタであって、前記他方のハウジングが、一側面に形成された押圧凸部と、前記一側面と反対側に位置する他側面に凹凸を設けて構成された噛合部とを備え、前記フード部が、一側壁の内面に凹凸を設けて構成されて前記フード部に挿入された前記他方のハウジングの前記噛合部と噛み合わされる被噛合部と、前記一側壁と向き合う他側壁に形成されて、前記フード部に挿入された前記他方のハウジングの前記押圧凸部に乗り上げて、前記一側壁とで前記他方のハウジングを挟み込む挟持壁とを備えていることを特徴とする。
また、本発明は、前記挟持壁が、前記フード部に挿入された前記他方のハウジングの前記押圧凸部に乗り上げて、前記押圧凸部を前記フード部の奥方に案内する傾斜面を備えることを特徴とする。
また、本発明は、前記挟持壁が、前記傾斜面よりも先端側に位置する前記フード部を肉薄にして構成されていることを特徴とする。
【発明の効果】
【０００８】
本発明によれば、コネクタの製造コストや重量の増大を抑えつつ、雌ハウジングと雄ハウジングとの間に生じるガタを防止できる。
【図面の簡単な説明】
【０００９】
【図１】本発明の一実施形態のコネクタの構成の概略を示す図であり、（ａ）は雌ハウジング，（ｂ）は雄ハウジングを示している。
【図２】雌ハウジングの構成の概略を示す正面図である。
【図３】雌ハウジングの構成の概略を示す図であり、（ａ）は図２のＣ−Ｃ線矢視図，（ｂ）は（ａ）の枠Ｆ内の拡大図である。
【図４】雌ハウジングの構成の概略を示す図であり、（ａ）は図２のＡ−Ａ線矢視図，（ｂ）は（ａ）の枠Ｅ内の拡大図である。
【図５】コネクタが備える雄ハウジングの構成の概略を示す正面図である。
【図６】雄ハウジングの構成の概略を示す図であり、（ａ）は図５のＢ−Ｂ線矢視図，（ｂ）は（ａ）の枠Ｇ内の拡大図である。
【図７】雌ハウジングに雄ハウジングを装着する状態を示す図であり、雌ハウジングを図２のＣ−Ｃ線矢視図，雄ハウジングを図５のＤ−Ｄ線矢視図でそれぞれ示している。
【発明を実施するための形態】
【００１０】
以下、図面を参照して、本発明の最良の形態を説明する。図１は、本実施形態のコネクタの構成の概略を示す図であり、（ａ）は雌ハウジング１，（ｂ）は雄ハウジング２を示している。図２は、雌ハウジング１の構成の概略を示す正面図である。図３は、雌ハウジング１の構成の概略を示す図であり、（ａ）は図２のＣ−Ｃ線矢視図，（ｂ）は（ａ）の枠Ｆ内の拡大図である。図４は、雌ハウジング１の構成の概略を示す図であり、（ａ）は図２のＡ−Ａ線矢視図，（ｂ）は（ａ）の枠Ｅ内の拡大図である。図５は、コネクタが備える雄ハウジング２の構成の概略を示す正面図である。図６は、雄ハウジング２の構成の概略を示す図であり、（ａ）は図５のＢ−Ｂ線矢視図，（ｂ）は（ａ）の枠Ｇ内の拡大図である。図７は、雌ハウジング１に雄ハウジング２を装着する状態を示す図であり、雌ハウジング１を図２のＣ−Ｃ線矢視図，雄ハウジング２を図５のＤ−Ｄ線矢視図でそれぞれ示している。なお、以下の説明で用いる上下，前後，及び左右の各方向は説明に用いる各図に示している。この上下，前後，左右は説明のために記載したもので、実際の配置と異なってよいことはもちろんである。
【００１１】
コネクタは、図１に示すように、雌ハウジング１と雄ハウジング２とを備えており、雌ハウジング１に雄ハウジング２を装着することで、両ハウジング１，２の備える端子同士が接続される。図１（ａ）に示すように、雌ハウジング１は、略四角ブロック状の雌本体１１と、雌本体１１の前面から前方に延びた端子収容部１３と、略四角筒状を呈して雌本体１１から前方に延びて端子収容部１３の周囲を囲うフード部１２とを備えており、端子収容部１３とフード部１２との間に前後方向に延びて、フード部１２の前端に開口した収容口１４に、後述する雄ハウジング２のフード部２２を収容する。フード部１２の上壁は、左右の両端部から中央部にかけて上方に湾曲しており、その分収容口１４が上下方向に拡幅されている。
【００１２】
図１（ａ），図２〜図４に示すように、雌本体１１の上面の左右方向の中央部には、雌本体１１の上面を下方に窪ませて構成された収容凹部１１ａが設けられている。収容凹部１１ａは、雌本体１１の前端から後端にかけて雌本体１１の前後方向に略矩形の平面形状を有して延びており、フード部１２の上壁に形成された開口１２１と連通している。開口１２１は、フード部１２の上壁の左右方向の中央部に位置して、フード部１２の後端からフード部１２の前端部まで略矩形の平面形状を有して延びている。図２〜図４に示すように、収容凹部１１ａの上面には、雌ハウジング１を雄ハウジング２に係止するためのロックアーム１５が設けられている。ロックアーム１５は、収容凹部１１ａの底面から上方に延びた基端部１５１の先端にアーム部１５２を備えており、基端部１５１を支点として撓んだアーム部１５２が上下方向に揺動するようになっている。
【００１３】
アーム部１５２は、雌本体１１の収容凹部１１ａからフード部１２の開口１２１にかけて連なる開口の上縁に沿うように配置されている。基端部１５１よりも前側に位置するアーム部１５２の左右方向の中央部には、アーム部１５２を上下方向に貫通する貫通孔１５２ｂが設けられている。貫通孔１５２ｂの前側に位置したアーム部１５２の前端部は、後述する雄ハウジング２の係止凸部２３にアーム部１５２を係止するための被係止部１５２ａとなっている。
【００１４】
図３に示すように、開口１２１の左右の両側に位置するフード部１２の上壁には、上壁を前端側から後端側にかけて徐々に肉厚に形成することで構成された挟持壁１７が設けられている。挟持壁１７の前縁部は、前端側から後端側にかけて端子収容部１３側に徐々に傾斜した案内面１７ａとなっている。従って、開口１２１の左右の両側に位置するフード部１２の上壁は、挟持壁１７よりも前側が挟持壁１７よりも前側に比べて肉薄となっている。図４に示すように、フード部１２の下壁の内面には、左右方向に延びる凹凸を前後方向に複数配設して構成された噛合部１６が設けられている。噛合部１６が備える凹凸の凹部及び凸部は、円弧状の断面形状を有している。
【００１５】
図１（ｂ）に示すように、雄ハウジング２は、前面から端子２１ａ（図６参照）を突出させた雄本体２１と、略四角筒状を呈して雌本体２１から前方に延びたフード部２２とを備えており、フード部２２の前面に開口した収容室２５に雌ハウジング１の端子収容部１３を収容する。フード部２２の上壁の上面には、雌ハウジング１のロックアーム１５が備える被係止部１５２ａを係止するための係止凸部２３が設けられている。係止凸部２３は、フード部２２の左右方向の中央部に位置しており、下端側から上端側にかけて前面を後方に傾斜させた形状の略四角ブロック体から構成されている。係止凸部２３の傾斜した前面は、被係止部１５２ａを雄ハウジング２の後方に導く案内面となっている。
【００１６】
係止凸部２３の左右の側方に位置するフード部２２の上壁には、一対の押圧凸部２４が設けられている。押圧凸部２４は、下端側から上端側にかけて前面を後方に傾斜させた形状の略四角ブロック体を、フード部２２の上壁の上面に設けることで構成されている。押圧凸部２４の傾斜した前面は、雌ハウジング１がフード部１２に備える挟持壁１７を雄ハウジング２の後方に導く案内面となっている。図６に示すように、フード部２２の下壁の下面には、左右方向に延びる凹凸を前後方向に複数配設して構成された噛合部２６が設けられている。噛合部２６が備える凹凸の凹部及び凸部は、円弧状の断面形状を有している。
【００１７】
図７（ａ）に示すように、雌ハウジング１のフード部１２に雄ハウジング２が挿入されると、雌ハウジング１がロックアーム１５に備える被係止部１５２ａが係止凸部２３に乗り上げる。これに伴い、フード部２２の下壁がフード部１２の下壁に押し付けられて、噛合部１６と噛合部２６とが互いに摺接し、噛合部１６の凹凸と噛合部２６の凹凸とが噛み合わされる。
【００１８】
その後、図７（ｂ）に示すように、雄ハウジング２がフード部２２の上壁に備える押圧凸部２４が、雌ハウジング１のフード部１２が備える挟持壁１７に当接して、傾斜面１７ａに案内された押圧凸部２４に挟持壁１７が乗り上げる。これに伴い、フード部２２の下壁をフード部１２の下壁に押し付ける力が増大し、噛合部１６と噛合部２６とが互いの凹凸を噛み合わせる力が増大する。その後、貫通孔１５２ｂの下方まで係止凸部２３が移動してくると、アーム部１５２の撓みが解けて被係止部１５２ａがフード部２２の上壁の上面に落ち込み、アーム部１５２の被係止部１５２ａがフード部２２の係止凸部２３に係止される。
【００１９】
本実施形態によれば、雄ハウジング２のフード部１２への挿入時には、雄ハウジング２の押圧凸部２４にフード部１２の挟持壁１７が乗り上げて、押圧凸部２４を下壁側に押し付け、フード部１２の下壁と挟持壁１７とで雄ハウジング２が挟み込まれる。これにより、雄ハウジング２の噛合部２６とフード部１２の被噛合部１６とが強く噛み合わされ、両ハウジング１，２同士が位置決めされる。このため、雄ハウジング２のフード部２２に押圧凸部２４及び噛合部２６を設け、雌ハウジング１のフード部１２に噛合部１６及び挟持壁１７を設けるという簡単な構成で、雌ハウジング１と雄ハウジング２との間に生じるガタを防止できる。従って、コネクタの製造コストや重量の増大を抑えることができる。
【００２０】
また、本実施形態によれば、噛合部１６，２６が備える凹凸の凹部及び凸部は、円弧状の断面形状を有していることから、噛合部１６と噛合部２６との噛合時に噛合部１６，２６の備える凹凸に損傷が生じるのを防止できる。
【００２１】
上記実施形態では、雌本体１１の上面を下方に窪ませて構成された収容凹部１１ａにロックアーム１５が備えられている場合について説明したが、ロックアーム１５の形成位置は任意であり、例えば、フード部１２の一側壁からロックアーム１５が延びていてもよい。
【００２２】
また、開口１２１の左右の両側に位置するフード部１２の上壁を、押圧凸部２４からの押圧を受けて上方に撓むように構成してもよい。例えば、開口１２１の左右の周縁と平行にフード部１２の前端まで延びるスリットをフード部１２の上壁に設け、挟持壁１７が押圧凸部２４から押圧を受けると、スリットと開口１２１との間に位置する挟持壁１７が、上方に撓むように構成してもよい。この構成によれば、フード部１２に雄ハウジング２を挿脱する際に挟持壁１７が上方に撓むことで、フード部１２への雌ハウジング１の着脱に必要な力を低減させることができる。しかも、噛合部１６と噛合部２６との噛合時に噛合部１６，２６の備える凹凸に損傷が生じるのを効果的に防止できる。
【００２３】
また、開口１２１の左右の周縁と平行にフード部１２の後端まで延びるスリットをフード部１２の上壁に設け、挟持壁１７が押圧凸部２４から押圧を受けると、スリットと開口１２１との間に位置する挟持壁１７が上方に撓むように構成してもよい。この構成によっても、フード部１２に雄ハウジング２を挿脱する際に挟持壁１７が上方に撓むことで、フード部１２への雌ハウジング１の着脱に必要な力を低減させることができる。しかも、噛合部１６と噛合部２６との噛合時に噛合部１６，２６の備える凹凸に損傷が生じるのを効果的に防止できる。
【符号の説明】
【００２４】
１        雌ハウジング
１１      雌本体
１１ａ    収容凹部
１２      フード部
１２１    開口
１３      端子収容部
１４      収容口
１５      ロックアーム
１５１    基端部
１５２    アーム部
１５２ａ  被係止部
１５２ｂ  貫通孔
１６      噛合部（被噛合部）
１７      挟持壁
２        雄ハウジング
２１ａ    端子
２２      フード部
２３      係止凸部
２５      収容室
２６      噛合部
【図１】
2010205543.tif 000003
【図２】
2010205543.tif 000004
【図３】
2010205543.tif 000005
【図４】
2010205543.tif 000006
【図５】
2010205543.tif 000007
【図６】
2010205543.tif 000008
【図７】
2010205543.tif 000009